(57)【要約】【課題】作業性の向上を図ったレバースイッチ装置を提供する。【解決手段】レバースイッチ装置１０は、軸部３０と、回転操作部と、プッシュスイッチ部６０と、回転操作部及びプッシュスイッチ部の変位を検出する信号が通る配線が敷設され、基端側から先端側へ延設されたフレキシブル基板７０と、を備え、フレキシブル基板は、回転操作部の変位に伴って回転操作部の可動接点が離接可能な固定接点が設けられた第１基板部７１と、第１基板部が先端側に接続された第１配線部７７と、プッシュスイッチ部の変位に伴ってプッシュスイッチ部から信号が出力される第２基板部７２と、第２基板部が先端側に接続された第２配線部７８と、を有し、第１配線部と第２配線部とは第１基板部よりも基端側における途中で分岐して先端側へ延設されている。【選択図】図２
2019102405.tif 000002
【特許請求の範囲】
【請求項１】
基端側から先端側へ延びる軸部と、
前記軸部の途中に外嵌して設けられ、前記軸部を中心に回転操作が可能であり、且つ、可動接点が設けられた回転操作部と、
前記軸部において前記回転操作部よりも前記先端側に取り付けられ、且つ、可動接点を有するプッシュスイッチ部と、
前記回転操作部及び前記プッシュスイッチ部の変位を検出する信号が通る配線が敷設され、前記基端側から前記先端側へ延設されたフレキシブル基板と、を備え、
前記フレキシブル基板は、
前記回転操作部の変位に伴って前記回転操作部の可動接点が接離可能な固定接点が設けられた第１基板部と、
前記第１基板部が前記先端側に接続された第１配線部と、
前記プッシュスイッチ部の変位に伴って前記プッシュスイッチ部から前記信号が出力される第２基板部と、
前記第２基板部が前記先端側に接続された第２配線部と、を有し、
前記第１配線部と前記第２配線部とは前記第１基板部よりも前記基端側における途中で分岐して前記先端側へ延設されている、レバースイッチ装置。
【請求項２】
前記第２配線部は、分岐箇所の近傍で折り曲げられることにより、前記第１配線部に対向配置されている、請求項１に記載のレバースイッチ装置。
【請求項３】
前記軸部に固定されて前記基端側および前記先端側のうち少なくとも一方の端面で前記第１基板部を支持する固定部と、
前記固定部の前記端面との間で前記第１基板部を支持する基板カバーと、をさらに備え、
前記基板カバーには、前記基端側から前記固定部を越えて前記先端側へ延設された前記第２配線部を支持する配線経路部が設けられている、請求項１又は２に記載のレバースイッチ装置。
【請求項４】
前記第１配線部及び前記第２配線部を被覆する配線カバーをさらに備えている、請求項１〜３のいずれか一項に記載のレバースイッチ装置。
【発明の詳細な説明】
【技術分野】
【０００１】
本発明は、レバースイッチ装置に関し、例えば、ロータリスイッチ及びプッシュスイッチを備えているレバースイッチ装置に関する。
【背景技術】
【０００２】
従来のレバースイッチ装置として、例えば、特許文献１のスイッチ装置が知られている。このスイッチ装置では、ロータ部材及びノブ部材が長手軸を中心に回転可能に装着されている。このロータ部材のカム面とノブ部材のカム面との間に可動接点部材が配置されている。可動接点部材は、ロータ部材及びノブ部材の回転操作により長手軸の方向に移動可能に配置されている。また、接点部が可動接点部材の接触端子の移動に伴い接離するように、可動接点部材の移動可能な範囲において長手軸の方向に沿ってフレキシブル基板が直線的に配置されている。
【先行技術文献】
【特許文献】
【０００３】
【特許文献１】特開２０１６−１５７６１６号公報
【発明の概要】
【発明が解決しようとする課題】
【０００４】
上記特許文献１のスイッチ装置では、可動接点部材は、ロータ部材及びノブ部材の回転操作に対して長手軸の方向に移動する特殊な構造を有している。これにより、スイッチ装置の構造が複雑化してしまう。
【０００５】
これに対し、一般的には、可動接点部材はロータ部材の回転と共に回転する。このため、可動接点部材の接触端子に接離可能な接点部を有する基板が、可動接点部材と対向して配置される。このような基板はロータ部材の数に応じて設けられる。また、ロータ部材に加えて、プッシュスイッチがスイッチ装置に組み込まれることもある。このような場合、プッシュスイッチ用の基板、及び、ロータ部材用の基板が連ねて設けられると、この基板の折り曲げ作業等において、基板の保持が困難になり、作業性に劣ってしまう。
【０００６】
本発明はこのような課題を解決するためになされたものであり、作業性の向上を図ったレバースイッチ装置を提供することを目的としている。
【課題を解決するための手段】
【０００７】
本発明のある態様に係るレバースイッチ装置は、基端側から先端側へ延びる軸部と、軸部の途中に外嵌して設けられ、軸部を中心に回転操作が可能であり、且つ、可動接点が設けられた回転操作部と、軸部において回転操作部よりも先端側に取り付けられ、且つ、可動接点を有するプッシュスイッチ部と、回転操作部及びプッシュスイッチ部の変位を検出する信号が通る配線が敷設され、基端側から先端側へ延設されたフレキシブル基板と、を備え、フレキシブル基板は、回転操作部の変位に伴って回転操作部の可動接点が離接可能な固定接点が設けられた第１基板部と、第１基板部が先端側に接続された第１配線部と、プッシュスイッチ部の変位に伴ってプッシュスイッチ部から信号が出力される第２基板部と、第２基板部が先端側に接続された第２配線部と、を有し、第１配線部と第２配線部とは第１基板部よりも基端側における途中で分岐して先端側へ延設されている。
【０００８】
この構成によれば、可動接点が回転操作部と共に回転することにより、スイッチ装置の構造は簡素化する。また、第１配線部と第２配線部とが分岐することにより、第１配線部に接続した第１基板と、第２配線部に接続した第２基板とを別々に設けられる。これにより、これらをそれぞれ折り曲げ作業することができ、作業性に優れる。
【０００９】
レバースイッチ装置では、第２配線部は、分岐箇所の近傍で折り曲げられることにより、第１配線部に対向配置されていてもよい。この構成によれば、第１配線部と第２配線部とを重ねて配置することができ、レバースイッチ装置の小型化が図られる。
【００１０】
レバースイッチ装置では、軸部に固定されて基端側および先端側のうち少なくとも一方の端面で第１基板部を支持する固定部と、固定部の端面との間で第１基板部を支持する基板カバーと、をさらに備え、基板カバーには、基端側から固定部を越えて先端側へ延設された第２配線部を支持する配線経路部が設けられていてもよい。この構成によれば、基板カバーが、第１基板部を支持するだけでなく、第２配線部を支持するための配線経路部も有するので、レバースイッチ装置の小型化が図られる。
【００１１】
レバースイッチ装置では、第１配線部及び第２配線部を被覆する配線カバーをさらに備えていてもよい。この構成によれば、配線カバーが第１配線部及び第２配線部を共にはカバーすることができ、レバースイッチ装置の小型化が図られる。
【発明の効果】
【００１２】
本発明は、以上に説明した構成を有し、作業性の向上を図ったレバースイッチ装置を提供することができるという効果を奏する。
【００１３】
本発明の上記目的、他の目的、特徴及び利点は、添付図面を参照の下、以下の好適な実施態様の詳細な説明から明らかにされる。
【図面の簡単な説明】
【００１４】
【図１】本発明の実施の形態に係るレバースイッチ装置を示す断面図である。
【図２】図１のレバースイッチ装置の分解斜視図である。
【図３】図３（ａ）は、図１のホルダを先端側から視た示す斜視図である。図３（ｂ）は、図３（ａ）のホルダを基端側から視た示す斜視図である。
【図４】図１の軸部及びこの先端に取り付けた節度部を示す斜視図である。
【図５】図２のＦＰＣを示す斜視図である。
【図６】図２の第２基板部及びその載置部、並びに、第２配線部及びその配線経路部を示す斜視図である。
【図７】図２の第１基板部及びその固定部、並びに、第２基板部及びそのホルダを示す斜視図である。
【図８】図２のホルダを軸部に取り付ける状態を示す斜視図である。
【発明を実施するための形態】
【００１５】
以下、本発明の実施の形態を、図面を参照しながら具体的に説明する。なお、以下では全ての図面を通じて同一又は相当する要素には同一の参照符号を付して、その重複する説明を省略する。
【００１６】
＜レバースイッチ装置の構成＞
図１及び図２に示すように、実施の形態に係るレバースイッチ装置１０は、例えば、車両のステアリングホイール等の操縦装置の近傍に配置されており、ライト及びワイパ等の操作レバーとして用いられる。レバースイッチ装置１０は、ケース２０及び摺動体１１を備えている。なお、ケース２０よりも摺動体１１側を基端側と称し、その反対側を先端側と称する。
【００１７】
ケース２０は、略円柱形状であって、ＡＢＳ及びポリアミド等の絶縁性樹脂から成り、固定ノブ２１、回転ノブ（第１回転ノブ２２、第２回転ノブ２３）、先端ノブ２４及びカバー（スイッチカバー２５）を有している。固定ノブ２１、第１回転ノブ２２、第２回転ノブ２３及び先端ノブ２４は、それぞれ内部空間を有し、この内部空間が互いに連通するようにこの順で接続されている。
【００１８】
固定ノブ２１は本体部２１ａ及び傾斜部２１ｂを有している。傾斜部２１ｂは、本体部２１ａよりも基端側に配置されており、本体部２１ａに対して傾斜している。傾斜部２１ｂの基端は摺動体１１に接続され、傾斜部２１ｂの先端は本体部２１ａの基端に接続されている。
【００１９】
本体部２１ａ、第１回転ノブ２２、第２回転ノブ２３及び先端ノブ２４は、同軸で互いに接続して略円筒形状を形成している。この内部空間に軸部３０、ロータリスイッチ４０及びプッシュスイッチ６０が収容されている。軸部３０は、基端側から先端側へ延びている。
【００２０】
また、この軸部３０の基端に軸止め２６が固定されている。この軸止め２６が、本体部２１ａの内面に設けられた係止部（図示せず）に当接することにより、軸部３０はその軸心方向に本体部２１ａに対して係止される。なお、説明の便宜上、軸部３０の中心軸に平行な方向を軸心方向と称する。
【００２１】
さらに、固定ノブ２１は、軸心方向と直交する方向に２分割されており、第１ノブ部２７及び第２ノブ部２８により構成されている。例えば、第１ノブ部２７の開口部を第２ノブ部２８により被覆することにより、固定ノブ２１が形成される。
【００２２】
第１回転ノブ２２は、ロータリスイッチ４０の回転部（第１回転部４４）と接続し、第１回転部４４と共に、ユーザにより軸部３０を中心に回転操作される回転操作部として機能する。また、第２回転ノブ２３は、ロータリスイッチ４０の回転部（第２回転部４６）と接続し、第２回転部４６と共に、ユーザにより軸部３０を中心に回転操作される回転操作部として機能する。なお、第１回転ノブ２２及び第１回転部４４は一体的に設けられて回転操作部として機能してもよいし、第２回転ノブ２３及び第２回転部４６は一体的に設けられて回転操作部として機能してもよい。
【００２３】
スイッチカバー２５は、ユーザにより押圧操作される押圧操作部であって、先端ノブ２４に対して軸心方向に移動可能に配置されている。また、スイッチカバー２５は、軸部３０において回転操作部よりも先端側に取り付けられたプッシュスイッチ６０のプッシュスイッチ部６１を被覆し、プッシュスイッチ部６１と共に進退する。
【００２４】
＜ロータリスイッチの構成＞
図２に示すように、この実施の形態では、ロータリスイッチ４０は、第１ロータリスイッチ４１及び第２ロータリスイッチ４２により構成されている。ただし、ロータリスイッチ４０の数は、これに限定されず、１つであってもよいし、３つ以上であってもよい。また、このロータリスイッチ４０の数に応じた回転ノブがケース２０（図１）に備えられる。
【００２５】
第１ロータリスイッチ４１は、固定部４３、回転部（第１回転部４４）及び節度機構（第１節度機構４５）を備え、第２ロータリスイッチ４２は、固定部４３、回転部（第２回転部４６）及び節度機構（第２節度機構４７）を備えている。なお、この実施の形態では、第１ロータリスイッチ４１及び第２ロータリスイッチ４２は、１つの固定部４３を兼用しているが、別々の固定部４３を備えていてもよい。
【００２６】
固定部４３は、環形状であって、軸部３０が挿通する挿通孔（固定挿通孔４３ａ）を有している。この固定挿通孔４３ａを画定する固定部４３の内面には、軸部３０についての固定部４３の回転を阻止する阻止部（図示せず）が形成されている。この阻止部によって、固定部４３は、固定挿通孔４３ａを通過した軸部３０に固定される。
【００２７】
固定部４３は、基端側及び先端側のうち少なくとも一方の端面（面）で第１基板部７１を支持している。この実施の形態では、第１基板部７１は、第１ロータリスイッチ４１用の第１回転基板部７３、及び、第２ロータリスイッチ４２用の第２回転基板部７４により構成されている。このため、第１回転基板部７３は固定部４３の基端側面上に配置され、第２回転基板部７４は固定部４３の先端側面上に配置されている。ただし、ロータリスイッチの数及び固定部４３と回転部との配置に応じて、固定部４３は、基端側面及び／又は先端側面で第１基板部７１を支持していてもよい。
【００２８】
第１回転基板部７３及び第２回転基板部７４は、例えば、固定接点を有し、フレキシブル回路（Flexible printed circuits：ＦＰＣ７０）により構成されている。このＦＰＣ７０については後述する。
【００２９】
第１回転基板部７３はカバー（第１基板カバー４８）により固定部４３の基端側面上に固定され、第２回転基板部７４はカバー（第２基板カバー４９）により固定部４３の先端側面上に固定されている。このように、１つの固定部４３を、第１回転基板部７３及び第１基板カバー４８と、第２回転基板部７４及び第２基板カバー４９とで挟むことにより、レバースイッチ装置１０の小型化が図られている。
【００３０】
第１基板カバー４８は、環形状であって、軸部３０が挿通する挿通孔（第１基板カバー挿通孔４８ａ）を有している。また、第１基板カバー４８は、第１基板カバー挿通孔４８ａとは異なる第１開口部（図示せず）、及び、第１爪部（図示せず）を有している。この第１爪部によって第１基板カバー４８は第１回転基板部７３を固定部４３との間に挟んで固定部４３に取り付けられる。また、この状態で第１回転基板部７３の固定接点は第１開口部を通して外部へ露出している。
【００３１】
第２基板カバー４９は、環形状であって、軸部３０が挿通する挿通孔（第２基板カバー挿通孔４９ａ）を有している。また、第２基板カバー４９は、第２基板カバー挿通孔４９ａとは異なる第２開口部（図示せず）、及び、第２爪部（図示せず）を有している。この第２爪部によって第２基板カバー４９は第２回転基板部７４を固定部４３との間に挟んで固定部４３に取り付けられる。また、この状態で第２回転基板部７４の固定接点は第２開口部を通して外部へ露出している。
【００３２】
第１回転部４４は、環形状であって、軸部３０が挿通する挿通孔（第１回転挿通孔４４ａ）を有している。この第１回転挿通孔４４ａに軸部３０が通過することにより、第１回転部４４は、軸部３０の途中に外嵌し、軸部３０に回転可能に取り付けられる。また、第１回転部４４は、第１回転ノブ２２に固定された状態で収容されている。これにより、第１回転ノブ２２が回転されるに伴い第１回転部４４が回転される。
【００３３】
第１回転部４４の先端側の面上には接触片（第１接触片５０）が取り付けられている。この第１接触片５０は、可動接点を有し、第１基板カバー４８を介して第１回転基板部７３に対向して配置される。このため、第１回転部４４の回転に伴い第１接触片５０が回転して、第１接触片５０の可動接点が第１回転基板部７３の固定接点に対して接離可能に移動する。この固定接点に対する可動接点に相対的な位置によって、第１ロータリスイッチ４１の信号が形成される。
【００３４】
第２回転部４６は、環形状であって、軸部３０が挿通する挿通孔（第２回転挿通孔４６ａ）を有している。この第２回転挿通孔４６ａに軸部３０が通過することにより、第２回転部４６は、軸部３０の途中に外嵌し、軸部３０に回転可能に取り付けられる。また、第２回転部４６は、第２回転ノブ２３に固定された状態で収容されている。これにより、第２回転ノブ２３が回転されるに伴い第２回転部４６が回転される。
【００３５】
第２回転部４６の基端側の面上には接触片（第２接触片５１）が取り付けられている。この第２接触片５１は、可動接点を有し、第２基板カバー４９を介して第２回転基板部７４に対向して配置される。このため、第２回転部４６の回転に伴い第２接触片５１が回転して、第２接触片５１の可動接点が第２回転基板部７４の固定接点に対して接離可能に移動する。この固定接点に対する可動接点に相対的な位置によって、第２ロータリスイッチ４２の信号が形成される。
【００３６】
第１節度機構４５は、第１回転部４４の回転に対応した節度感を付与する機構であって、節度面（第１節度面５２）、ボール（第１ボール５３）、バネ（第１バネ５４）及び収容部（第１収容部５５）を有している。この実施の形態では、第１ボール５３及び第１バネ５４は、それぞれ、２つずつ設けられているが、１つずつであっても、３つ以上ずつであってもよい。
【００３７】
第１収容部５５は、環形状であって、軸部３０が挿通する挿通孔（収容挿通孔５５ａ）を有している。この収容挿通孔５５ａを画定する第１収容部５５の内面には、軸部３０に対して第１収容部５５の回転を阻止する阻止部（図示せず）が形成されている。この阻止部によって、第１収容部５５は、収容挿通孔５５ａを通過した軸部３０に対して固定される。
【００３８】
第１収容部５５は、収容空間を有し、収容空間が先端側に開口するように軸部３０に取り付けられている。この第１収容部５５が開口する先端側に第１節度面５２が隣接して配置される。そして、第１ボール５３を第１節度面５２に接触し、第１バネ５４が第１ボール５３を第１節度面５２に向かって先端側へ付勢するように第１ボール５３及び第１バネ５４が収容空間に収容されている。
【００３９】
第１節度面５２は、第１回転部４４の基端側面上に設けられて、例えば、基端側へ突出する複数の凸状の山（節度山）が第１回転挿通孔４４ａを中心に放射線状に配置されている。これにより、第１回転部４４の第１節度面５２の回転によって、第１ボール５３が第１節度面５２の節度山に当たり、節度感が発生する。
【００４０】
第２節度機構４７は、第２回転部４６の回転に対応した節度感を付与する機構であって、節度部８０、ボール（第２ボール５７）、バネ（第２バネ５８）及び収容部（第２収容部５９）を有している。この実施の形態では、第２ボール５７及び第２バネ５８は、それぞれ、２つずつ設けられているが、１つずつであっても、３つ以上ずつであってもよい。
【００４１】
節度部８０は、環形状であって、軸部３０が挿通する挿通孔（節度挿通孔８０ａ）を有している。この節度挿通孔８０ａを画定する内面には、軸部３０に対して節度部８０の回転を阻止する阻止部（図示せず）が形成されている。この阻止部によって、節度部８０は、節度挿通孔８０ａを通過した軸部３０に対して固定される。
【００４２】
また、節度部８０の基端側面には、節度面（第２節度面８１）が設けられている。第２節度面８１には、例えば、基端側へ突出する複数の凸状の山（節度山）が節度挿通孔８０ａを中心に放射線状に配置されている。
【００４３】
第２収容部５９は、第２回転部４６に設けられており、収容空間を有し、収容空間が先端側に開口するように軸部３０に取り付けられている。この第２収容部５９が開口する先端側に第２節度面８１が隣接して配置される。また、第２ボール５７が第２節度面８１に接触し、第２バネ５８が第２ボール５７を第２節度面８１に向かって先端側へ付勢するように第２ボール５７及び第２バネ５８が収容空間に収容されている。これにより、第２回転部４６の回転に伴い第２収容部５９が回転して、第２収容部５９内の第２ボール５７が第２節度面８１の節度山に当たり、節度感が発生する。
【００４４】
＜プッシュスイッチの構成＞
図２に示すように、プッシュスイッチ６０は、プッシュスイッチ部６１と、プッシュスイッチ部６１から延出した端子（図示せず）に接続された第２基板部７２とを備えている。プッシュスイッチ部６１は変位部６１ａを有し、押圧操作により変位部６１ａが変位して、プッシュスイッチ部６１内部のスイッチ接点が開閉し、その信号が端子から第２基板部７２に出力される。
【００４５】
この実施の形態では、プッシュスイッチ部６１には、押圧操作に対応した節度感を付与する節度機構を有し、タクタイルスイッチが用いられる。ただし、プッシュスイッチ部６１は、指等による押し動作によって変位部６１ａがその軸心方向に動くことで接点の開閉（入力）を行う操作スイッチであれば、タクタイルスイッチに限定されない。
【００４６】
プッシュスイッチ部６１は、ホルダ９０によって軸部３０に固定されると共に、第２基板部７２に電気的に接続されている。図３（ａ）に示すように、ホルダ９０は、載置部９１、壁部９２、経路部（第１経路部９３）を有している。なお、第１経路部９３については後述する。
【００４７】
載置部９１は、プッシュスイッチ部６１が載置される部分であって、例えば、８角形の平板形状である。壁部９２は、載置部９１の周囲を取り囲むように、例えば、断面が８角形の筒形状であって、第１壁部９２ａ、第１壁部９２ａに対向する第２壁部９２ｂを有している。載置部９１よりも先端側の第１壁部９２ａには切欠き（第１切欠き９４）が形成されている。また、載置部９１の先端側面には、一対の突起９１ａが設けられている。この一対の突起９１ａは、互いに間隔を空けて、第１切欠き９４の近傍に配置されている。
【００４８】
図３（ｂ）に示すように、ホルダ９０の基端側には、切欠き（第２切欠き９５）及び溝部（ホルダ溝９６）が設けられている。第２切欠き９５は、第２壁部９２ｂのうちの載置部９１よりも基端側の部分に設けられており、第１切欠き９４とは載置部９１を挟んで反対側に配置されている。
【００４９】
ホルダ溝９６は、第２切欠き９５から第１壁部９２ａに向かって延びており、一端が第２切欠き９５を介して開口し、他端が第１壁部９２ａにより閉じられている。また、ホルダ溝９６は、基端側の開口部９６ａを介して開口し、先端側は載置部９１により閉じられている。
【００５０】
このホルダ溝９６が延びる方向及び軸心方向に対して、公差（この実施の形態では、直交）する方向において、ホルダ溝９６を画定する壁部９２の一対の内面に一対の凸状部９７が設けられている。一対の凸状部９７は、ホルダ９０を軸部３０（図２）に取り付ける取付部であって、互いの間隔が狭くなるように壁部９２の内面から突出している。このため、一対の凸状部９７の間隔は、ホルダ溝９６の幅よりも狭い。凸状部９７は、ホルダ９０の基端側縁においてホルダ溝９６に沿って延びている。
【００５１】
図４に示すように、軸部３０の先端の近傍には一対の溝部（軸溝３１）が設けられている。一対の軸溝３１は、互いに平行であって、軸部３０の周部において軸心方向に交差する方向（この実施の形態では、直交する方向）に延びている。
【００５２】
節度部８０には、先端側に係止部（節度係止部８２）が設けられている。節度係止部８２は、一対の台座部８３及び架橋部８４を有している。一対の台座部８３は、節度部８０の先端側面から突出し、互いに間隔を空けて配置されている。架橋部８４は、平板形状であって、台座部８３の先端側縁において一対の台座部８３に架け渡されている。
【００５３】
節度部８０の節度挿通孔８０ａを通過した軸部３０は、一対の台座部８３の間に配置され、軸部３０の先端が架橋部８４に当接して係止されている。この状態で、軸部３０の軸溝３１は、節度部８０の先端側面上に現れて、軸溝３１を画定する軸部３０の基端側面３１ａは、節度部８０の先端側面と面一になる。また、軸心方向に平行な軸溝３１の面３１ｂは、架橋部８４に平行であって、台座部８３の側面８３ａと面一に設けられる。
【００５４】
このような節度部８０の節度係止部８２が、図３（ｂ）及び図４に示すように、ホルダ９０のホルダ溝９６内に第２切欠き９５及び基端側の開口部９６ａを介して嵌められている。これにより、ホルダ９０は、軸部３０に対し軸心方向の交差方向に組み付けられて、軸部３０の先端に取り付けられる。
【００５５】
ここで、ホルダ９０の基端側縁９０ａは、面一に配置された軸溝３１の基端側面３１ａ及び節度部８０の先端側面の上に配置される。また、ホルダ９０の第１壁部９２ａに節度係止部８２が当接する。さらに、ホルダ９０の凸状部９７が、面一に設けられた台座部８３の側面８３ａ及び軸溝３１の面３１ｂに沿って、軸部３０の軸溝３１に嵌る。これにより、軸心方向及びこれに垂直な方向において、節度部８０、及び、節度部８０に接続される軸部３０に対してホルダ９０は固定される。
【００５６】
このように軸部３０に固定されたプッシュスイッチ部６１は、図１に示すスイッチカバー２５により覆われている。この際、プッシュスイッチ部６１の変位部６１ａに接触しながら軸心方向へ往復移動可能なように、スイッチカバー２５はホルダ９０に接続されている。ここで、スイッチカバー２５は、プッシュスイッチ部６１により確実に接触するように、わずかに付勢するようにプッシュスイッチ部６１を覆っていてもよい。
【００５７】
＜ＦＰＣ＞
図２及び図５に示すように、１つのＦＰＣ７０に、回転操作部及びプッシュスイッチ部６１の変位を検出する信号が通る配線が敷設され、基端側から先端側へ延設されている。具体的には、ＦＰＣ７０は、接続端子７５、配線部、第１基板部７１及び第２基板部７２が設けられている。また、この実施の形態では、第１基板部７１は、ロータリスイッチ４０の数に応じて、第１回転基板部７３及び第２回転基板部７４を有している。
【００５８】
第１回転基板部７３は、環形状であって、挿通孔（第１基板挿通孔７３ａ）が設けられている。第２回転基板部７４は、環形状であって、挿通孔（第２基板挿通孔７４ａ）が設けられている。第２基板部７２は、ホルダ９０の載置部９１に配置される寸法に形成されており、第２配線部７８との間に一対の切欠き部７２ａを有している。
【００５９】
配線部は、第１配線部７７及び第２配線部７８を有している。第１配線部７７及び第２配線部７８は、途中で分岐して先端側へ延びている。この分岐箇所７６は、第１基板部７１よりも基端側であって、第１回転基板部７３と接続端子７５との間にある。
【００６０】
第１配線部７７は、基端側第１配線部７７ａ及び先端側第１配線部７７ｂを有している。基端側第１配線部７７ａは、基端側に接続端子７５が接続され、先端側に第１回転基板部７３が接続されている。先端側第１配線部７７ｂは、基端側に第１回転基板部７３が接続され、先端側に第２回転基板部７４が接続されている。例えば、接続端子７５、第１回転基板部７３及び第２回転基板部７４が直線状に並ぶように、基端側第１配線部７７ａ及び先端側第１配線部７７ｂが直線状に延びている。
【００６１】
第２配線部７８は、基端側に接続端子７５が接続され、先端側に第２基板部７２が接続されている。例えば、第２配線部７８は、第１配線部７７との分岐箇所７６から第１配線部７７に対して直交方向に延びてから屈曲し、第１配線部７７と間隔を空けて第１配線部７７に対して平行に先端側へ延びている。これにより、第２配線部７８は、分岐箇所７６の近傍で折り曲げられることにより、第１配線部７７に対向配置される。
【００６２】
このような第２配線部７８を支持する配線経路部が、図６に示すように、レバースイッチ装置１０（図１）に備えられている。この各構成部のうちの軸部３０（図１）に固定された構成部（例えば、ホルダ９０、節度部８０、第２基板カバー４９、第１基板カバー４８、第１収容部５５）に配線経路部が設けられている。例えば、この配線経路部は、第１〜第５経路部により構成されている。
【００６３】
第１経路部９３は、ホルダ９０の第１壁部９２ａ上に設けられた溝部であって、第１切欠き９４を介して載置部９１に繋がっている。第２経路部８０ｂは、節度部８０の側面上、及び、ここから基端側へ突出して形成されている。第３経路部４９ｂは、第２基板カバー４９の側面上、及び、ここから先端側へ突出して形成されている。第４経路部４８ｂは、第１基板カバー４８の側面上、及び、ここから基端側へ突出して形成されている。第５経路部５５ｂは、第１収容部５５の側面上に設けられている。
【００６４】
このようなホルダ９０、節度部８０、第２基板カバー４９、第１基板カバー４８、第１収容部５５は、この順序で、軸部３０に取り付けられる。このため、これらに設けられた第１経路部９３、第２経路部８０ｂ、第３経路部４９ｂ、第４経路部４８ｂ及び第５経路部５５ｂも、この順で並び、軸部３０（図１）に平行に直線状に延びる。この配線経路部が第２配線部７８を支持する。
【００６５】
また、この配線経路部のうち第４経路部４８ｂ及び第５経路部５５ｂには、第２配線部７８に重なる第１配線部７７も配置される。このため、配線経路部は、第２配線部７８を支持する第２配線部７８に加えて、これに重なる第１配線部７７も支持することにより、レバースイッチ装置１０の小型化が図られる。
【００６６】
さらに、図２に示すように、レバースイッチ装置１０は、配線カバー１１０及びホルダカバー１００を備えている。配線カバー１１０は、長尺の略矩形の板状体であって、第２〜第５経路部に載置された第２配線部７８、及び、第２配線部７８に重なる第１配線部７７を覆って固定する。
【００６７】
ホルダカバー１００は、図７に示すように、配線カバー部分１０１、及び、基板カバー部分１０２を有している。配線カバー部分１０１は、略矩形の板状体であって、基板カバー部分１０２から基端側へ延び、第１経路部９３に載置された第２配線部７８を覆って固定する。
【００６８】
基板カバー部分１０２は、ホルダ９０の載置部９１に載置された第２基板部７２を固定するカバーであって、例えば、載置部９１の形状に対応し、八角形の板形状である。基板カバー部分１０２には、プッシュスイッチ部６１に対向する位置に開口部（スイッチ開口部１０３）が設けられている。これにより、プッシュスイッチ部６１の変位部６１ａは、スイッチ開口部１０３を介して基板カバー部分１０２から突出し、スイッチカバー２５（図１）に当接することができる。
【００６９】
＜レバースイッチ装置の組み立て方法＞
まず、図７に示すように、ＦＰＣ７０の第１回転基板部７３を、基端側第１配線部７７ａに対して直交する方向に屈曲して、固定部４３の基端側面上に配置し、第１基板カバー４８により固定部４３に取り付ける。そして、先端側第１配線部７７ｂを、第１回転基板部７３に対して直交する方向に屈曲して、固定部４３の側面に沿って基端側面から先端側面へ延ばす。それから、第２回転基板部７４を、先端側第１配線部７７ｂに対して直交する方向に屈曲して、固定部４３の先端側面に配置し、第２基板カバー４９により固定部４３に取り付ける。
【００７０】
また、図６及び図７に示すように、ＦＰＣ７０の第２基板部７２上にプッシュスイッチ部６１をはんだ実装によって取り付ける。そして、第２基板部７２をホルダ９０の載置部９１上に配置する。この際、第２基板部７２の一対の切欠き部７２ａを載置部９１の一対の突起９１ａに嵌めることにより、載置部９１に対して第２基板部７２の位置決めを行う。なお、図６では、わかり易くするために、ホルダカバー１００の図示を省略している。
【００７１】
この第２基板部７２に繋がる第２配線部７８を、ホルダ９０の第１切欠き９４において第２配線部７８に対して屈曲する。そして、第２配線部７８を、第１切欠き９４に繋がる第１経路部９３上に配置する。
【００７２】
続いて、第２基板部７２を覆うようにしてホルダカバー１００の基板カバー部分１０２を載置部９１に取り付ける。これにより、第２基板部７２がホルダ９０に固定される。この際、ホルダカバー１００の配線カバー部分１０１を載置部９１の第１切欠き９４側に配置する。これにより、第２配線部７８が配線カバー部分１０１に覆われて、第１経路部９３に固定される。
【００７３】
それから、図２に示すように、例えば、軸部３０の基端を先端よりも下側にして配置する。そして、第１収容部５５の開口を上にして、この開口から第１ボール５３及び第１バネ５４を収容する。そして、第１収容部５５の収容挿通孔５５ａを軸部３０に通して、第１収容部５５を軸部３０に取り付ける。続いて、第１回転部４４の第１節度面５２が第１収容部５５側になるように、第１回転部４４の第１回転挿通孔４４ａを軸部３０に通して、第１回転部４４を軸部３０に取り付ける。これにより、第１バネ５４により第１ボール５３が第１節度面５２に向かって付勢され、第１節度機構４５が形成される。
【００７４】
また、第１回転基板部７３、第１基板カバー４８、固定部４３、第２回転基板部７４及び第２基板カバー４９が、基端側から先端側に向かってこの順で並ぶようにして、各挿通孔に軸部３０を通す。これにより、各基板部、各カバー及び固定部４３が軸部３０に取り付けられる。この際、第１回転基板部７３が第１回転部４４上の第１接触片５０に対向して配置され、第１ロータリスイッチ４１が形成される。
【００７５】
さらに、第２回転部４６の第２接触片５１が取り付けられた基端側面を下にして、第２回転挿通孔４６ａを軸部３０に通して、第２回転部４６を軸部３０に取り付ける。これにより、第２回転基板部７４が第２接触片５１に対向して配置され、第２ロータリスイッチ４２が形成される。
【００７６】
このように、第２回転部４６の基端側面を下にすると、第２回転部４６の第２収容部５９の開口が上を向く。このため、第２回転挿通孔４６ａを軸部３０に通す際、開口から第２ボール５７及び第２バネ５８を第２収容部５９に収容した状態で、第２回転部４６を軸部３０に取り付けることができる。
【００７７】
それから、節度部８０の第２節度面８１が第２回転部４６側になるように、節度挿通孔８０ａを軸部３０に通して、節度部８０を軸部３０に取り付ける。これにより、第２バネ５８により第２ボール５７が第２節度面８１に向かって付勢され、第２節度機構４７が形成される。
【００７８】
このように、節度部８０を軸部３０に取り付けると、図４に示すように、軸部３０の先端が節度部８０の節度係止部８２の架橋部８４に当接する。そして、節度部８０上に軸部３０の軸溝３１が現れる。それから、ホルダ９０のホルダ溝９６側を下にして、第２切欠き９５を節度係止部８２側へ向け、ホルダ９０をスライドする。これにより、第２切欠き９５を介してホルダ溝９６に節度係止部８２が嵌り、ホルダ９０は軸部３０の先端上に配置される。
【００７９】
この際、ホルダ９０の第２壁部９２ｂに節度係止部８２が当接し、ホルダ９０の凸状部９７が軸部３０の軸溝３１に嵌る。これにより、軸心方向及びこれに垂直な方向において、節度部８０、及び、節度部８０に接続される軸部３０に対してホルダ９０が固定される。
【００８０】
続いて、ホルダ９０に取り付けられた第２配線部７８を、図６に示すように第２〜第５経路部上に配置する。この際、第２配線部７８を折り曲げて、第１配線部７７上に重ねる。そして、この第１配線部７７及び第２配線部７８を覆うように、図２に示す配線カバー１１０を取り付ける。
【００８１】
それから、このようにして第１ロータリスイッチ４１、第２ロータリスイッチ４２及びプッシュスイッチ部６１を軸部３０に取り付けた組み立て品を、図２に示す固定ノブ２１の第１ノブ部２７に入れる。ここで、軸部３０の基端に軸止め２６を固定して第１ノブ部２７のうちの本体部２１ａにある係止部に軸止め２６を当接させて、軸部３０の基端側への移動を係止する。そして、第１ノブ部２７の開口部を第２ノブ部２８により被覆し、固定ノブ２１が形成する。この固定ノブ２１に第１回転ノブ２２及び第２回転ノブ２３を取り付ける。
【００８２】
そして、スイッチカバー２５をプッシュスイッチ部６１に当接させて、スイッチカバー２５を先端ノブ２４により固定する。この際、スイッチカバー２５をプッシュスイッチ部６１に接触させる。
【００８３】
＜作用、効果＞
このように、プッシュスイッチ部６１は、軸心方向に平行な押圧方向において、軸部３０に固定され、スイッチカバー２５に接触している。このため、スイッチカバー２５がユーザにより押圧されて移動した際、その移動距離と、スイッチカバー２５により押圧されて変位したプッシュスイッチ部６１の変位部６１ａの変位量とを一致させることができる。よって、プッシュスイッチ部６１を押圧するためのスイッチカバー２５の移動距離は、押圧操作の度に変わらない。よって、押圧操作に対する変位部６１ａの変位量は、例えば、０．５ｍｍ程度と非常に小さい場合であっても、一定のスイッチカバー２５の移動距離によりプッシュスイッチ部６１を押圧して入力することができる。このため、ユーザは違和感なく、プッシュスイッチ６０を操作することができる。
【００８４】
また、例えば、接着剤によりホルダ９０を軸部３０に固定すると、接着剤の硬化時間を待つ必要がある。これに対して、軸溝３１に凸状部９７を嵌めるため、軸部３０に対するホルダ９０の固定に時間を要せず、作業性に優れている。
【００８５】
しかも、プッシュスイッチ部６１をホルダ９０に配置することにより、レバースイッチ装置１０は、節度機構を有するプッシュスイッチ部６１を用いることができる。これにより、押圧操作に応じて、プッシュスイッチ６０の入力タイミングと、その節度機構による節度の付与のタイミングとを近づけることができる。このようなタイミングのずれがない又は小さいことにより、ユーザはプッシュスイッチ部６１を違和感なく使用することができる。
【００８６】
さらに、例えば、車両においてレバースイッチ装置１０以外の他の装置で用いられるプッシュスイッチ部６１と同じものをレバースイッチ装置１０で用いることができる。これにより、ユーザは、車両における各プッシュスイッチ部６１を同様な操作感触で操作することができ、装置間の操作感触の違いによる違和感がなく、操作性に優れる。
【００８７】
また、各構成部に、軸部３０を挿通する挿通孔を設け、また、軸部３０の先端上にホルダ９０及びプッシュスイッチ部６１を配置している。これにより、軸部３０に対して各構成部を積み上げて組み立てることができ、ロボット等の作業機械を使用して容易に組み立てることができる。また、部品の方向を変更する必要がなく、部品の破損を抑制することができ、作業性に優れる。
【００８８】
さらに、第１配線部７７と第２配線部７８とが分岐している。これにより、第２配線部７８に接続された第２基板部７２を、第１配線部７７に接続された第１基板部７１とは別途、設けることができる。このため、第１基板部７１及び第１配線部７７を容易に折り曲げて、固定部４３に取り付けることができる。よって、この作業にロボット等の作業装置を用いることができ、組立精度の向上が図れ、また、人の手等による汚染を防止することができる。
【００８９】
また、第１基板部７１及び第２基板部７２をＦＰＣ７０により形成している。これにより、レバースイッチ装置１０の小型化、及び、配置の自由度の向上が図られる。
【００９０】
さらに、第１配線部７７と第２配線部７８とを重ねて配置することにより、レバースイッチ装置１０の小型化が図られる。しかも、１つの配線カバー１１０により、第１配線部７７及び第２配線部７８をカバーすることができ、レバースイッチ装置１０の小型化及びコスト上昇の抑制が図られる。また、第２配線部７８を配線するための第３経路部４９ｂ及び第４経路部４８ｂを第２基板カバー４９及び第１基板カバー４８に設けることにより、レバースイッチ装置１０の小型化及びコスト上昇の抑制が図られる。
【００９１】
＜その他の実施の形態＞
上記実施の形態では、ホルダ９０においてホルダ溝９６の一対の凸状部９７が、軸部３０の軸溝３１に嵌ることによって、ホルダ９０が軸部３０に取り付けられた。ただし、ホルダ９０が軸部３０に対し軸心方向の交差方向に組み付けられて、軸部３０の先端に取り付けられれば、取付方法はこれに限定されない。
【００９２】
例えば、軸部３０及びホルダ９０のそれぞれに、軸心方向と交差する方向（例えば、直交する方向）に延びる貫通孔が設けられている。そして、ホルダ９０を軸部３０の先端上に載せ、ホルダ９０の貫通孔と、軸部３０の貫通孔とを合わせ、これらの貫通孔に棒状の取付部を通す。これにより、棒状の取付部は軸部３０の軸心方向に対して交差する方向に延び、軸部３０の先端にホルダ９０が取り付けられる。これにより、この場合も、プッシュスイッチ６０の操作性の向上が図られる。
【００９３】
上記実施の形態では、スイッチカバー２５がプッシュスイッチ部６１の押圧操作部として用いられたが、押圧操作部はこれに限定されない。例えば、プッシュスイッチ部６１に接触するノブであってもよい。
【００９４】
また、上記全実施の形態は、互いに相手を排除しない限り、互いに組み合わせてもよい。上記説明から、当業者にとっては、本発明の多くの改良や他の実施の形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００９５】
本発明のレバースイッチ装置は、作業性の向上を図ったレバースイッチ装置等として有用である。
【符号の説明】
【００９６】
１０    ：レバースイッチ装置
２２    ：第１回転ノブ（回転操作部）
２２    ：第２回転ノブ（回転操作部）
３０    ：軸部
３１    ：軸溝（溝）
４０    ：ロータリスイッチ
４３    ：固定部
４８    ：第１基板カバー（基板カバー）
４９    ：第２基板カバー（基板カバー）
４９ｂ  ：第３経路部（配線経路部）
４８ｂ  ：第４経路部（配線経路部）
５５ｂ  ：第５経路部（配線経路部）
６１    ：プッシュスイッチ部
７０    ：ＦＰＣ（フレキシブル基板）
７１    ：第１基板部
７２    ：第２基板部
７３    ：第１回転基板部（第１基板部）
７４    ：第２回転基板部（第１基板部）
７７    ：第１配線部
７７ａ  ：基端側第１配線部（第１配線部）
７７ｂ  ：先端側第１配線部（第１配線部）
７８    ：第２配線部
８０ｂ  ：第２経路部（配線経路部）
９３    ：第１経路部（配線経路部）
１１０  ：配線カバー
【図１】
2019102405.tif 000003
【図２】
2019102405.tif 000004
【図３】
2019102405.tif 000005
【図４】
2019102405.tif 000006
【図５】
2019102405.tif 000007
【図６】
2019102405.tif 000008
【図７】
2019102405.tif 000009
【図８】
2019102405.tif 000010